【事件の表示】
　特願２０１５−５１６１７５「データセンタを冷却し水を脱塩するシステムおよび方法」拒絶査定不服審判事件〔平成２５年１２月１２日国際公開、ＷＯ２０１３／１８４８２０、平成２７年　７月１６日国内公表、特表２０１５−５２０４６３〕について、次のとおり審決する。
【結　論】
　本件審判の請求は、成り立たない。
【理　由】
第１　手続の経緯
　本願は，平成２５年６月５日（パリ条約による優先権主張外国庁受理　平成２４年６月７日，米国　平成２５年１月２９日，米国）を国際出願日とする出願であって，平成２９年１月２６日付けの拒絶理由の通知に対し，平成２９年４月１３日に意見書が提出されるとともに手続補正がなされたが，平成２９年５月１８日付けで拒絶査定がなされ，これに対して平成２９年１０月１２日に拒絶査定不服審判の請求がなされたものである。
第２　本願発明
　本願の請求項に係る発明は，平成２９年４月１３日になされた手続補正により補正された特許請求の範囲の請求項１ないし３１に記載された事項により特定されるものと認められるところ，その請求項１に係る発明（以下「本願発明」という。）は，以下のとおりのものである。
「【請求項１】
　（ａ）冷水を受け入れて温水を排出するように構成された水冷サブシステムを備えるデータセンタと，
　（ｂ）該データセンタと同一場所に配置され，前記データセンタからの排出された温水を受け入れかつ前記データセンタから受け入れられた排出された温水を脱塩するように構成された水脱塩プラントと
　を備えることを特徴とするシステム。」
第３　原査定の拒絶の理由
　原査定の拒絶の理由は，この出願の請求項１ないし３１に係る発明は，本願の優先権主張の日前に頒布された又は電気通信回線を通じて公衆に利用可能となった下記の引用文献１に記載された発明，引用文献２−４に記載された事項及び周知技術に基づいて，その出願前にその発明の属する技術の分野における通常の知識を有する者が容易に発明をすることができたものであるから，特許法第２９条第２項の規定により特許を受けることができない，というものである。
引用文献１：米国特許出願公開第２００３／０１２１８５６号明細書
引用文献２：米国特許出願公開第２０１０／００７２１３６号明細書
引用文献３：Rich Millter，Google Using Sea Water to Cool Finland Project，Data Center Knowleadge，p.1，[online], ２０１０年　９月１５日，検索日：２０１７年５月１７日，ＵＲＬ http://www.datacenterknowledge.com/archives/2010/09/15/google-using-sea-water-to-cool-finland-project/
引用文献４：米国特許出願公開第２０１０／０１９１９９８号明細書
第４　引用文献の記載及び引用発明
１　引用文献１の記載
　原査定の拒絶の理由に引用された引用文献１には，以下の事項が記載されている（下線は，当審で付した。以下同様。）。
（１）段落[0002]
「[0002] The present invention relates generally to desalination of seawater and, more particularly, to methods and an apparatus for desalination of seawater using reverse osmosis membranes.」 
（当審仮訳：[0002]本発明は，一般に，海水の脱塩に関するものであり，より詳細には，逆浸透膜を用いた海水の脱塩のための方法及び装置に関するものである。)
（２）段落[0006]-[0007]
「[0006] The present invention provides a purification system for desalinating water having two-water supply sources: an ambient feed water source for inputting ambient feed water; and a high temperature feed water source for inputting high temperature feed water, where the high temperature is a temperature higher than the ambient temperature. A blender mixes together the ambient and high temperature feed water to achieve a blended feed water temperature in a desirable range. The blended feed water is then desalinated in a reverse osmosis process.
[0007] In one aspect, the second source of water is derived from a power plant that uses seawater as a coolant and outputs heated seawater through a high temperature feed water line. The water supply for seawater coolant for the power plant may be the same water supply used for the ambient water line.」
（当審仮訳：[0006]本発明は，周辺の給水を入力するための周辺の給水源と高温の給水を入力するための高温の給水源の二つの給水源を持ち，ここで，高温は周辺の温度よりも高い，水を脱塩するための浄化システムを提供する。ブレンダーは，混合された給水の温度が望ましい範囲に達するように，周辺及び高温の給水を共に混合する。混合された給水は，逆浸透法で脱塩される。
[0007]１つの態様では，第２の水源は，海水を冷却剤として使い，高温の給水ラインを通って加熱された海水を出力する発電所に由来するものである。発電所の海水冷却剤のための給水設備は，周囲の水ラインに使用されるのと同じ給水設備であり得る。）
（３）段落[0015]
[0015] Referring to the FIGURE, there being shown 
a desalination system,
uses first and second pass reverse osmosis filter processes 70 and 90 for desalination.
（当審仮訳：[0015]図を参照すると，本発明の好ましい実施形態によれば，概して符号１１０によって示された，
脱塩システム
脱塩のために第１段及び第２段の逆浸透膜フィルタプロセス７０及び９０を使用する。
（４）段落[0024]-[0035]
「[0024] The desalination system of the illustrated embodiment 
reduces desalination facility water production costs by automatically adjusting the membrane feed water temperature to its optimum temperature point to accommodate changing feed intake water temperature and quality at the same time maintaining consistent product water quality at a target level.
　・・・（中略）・・・
[0026] Thus, t
o enhance the efficiency of the desalination process, it is desirable to maintain the temperature of the water at the membrane within a predetermined range of temperature.
[0027] In the illustrated embodiment, 
two supplies of seawater are provided. The first supply 600, referred to as the ambient water, is seawater taken from the sea, bay or other source and is at a relatively low temperature.
The second supply 400, referred to as the high temperature water is seawater that has been delivered through the cooling system of a power plant 500.
[0028] 
The high temperature seawater is mixed as necessary with the ambient temperature seawater to achieve a temperature of the seawater at the membranes in the range of desired temperatures to thus enhance the efficiency of the reverse osmosis process. Additional efficiency results from the location of the desalination process near a power plant or other thermal generating source, so that waste heat may be used to heat the high temperature water. This reduces or eliminates the need to provide supplemental heating for the seawater in the desalination process.
[0029] As shown in the FIGURE, 
water is drawn from sea water supply 18, such as an intake canal off an ocean, salt water lake, bay, or other water source, into a first intake 33 and a second intake process 35 by pumps
through a first and second sea water input line 13 and 15.
The water is then delivered from the intake processes 33, 35 to the power plant 500 through power plant input lines 45, 46, 47, and 48. Water is also delivered from the intake process 35 to a first variable speed pump 32, and then delivered through an ambient feed water line 42.
[0030] 
A power plant 500, as part of its normal operation, will utilize a local water source to input a stream of water to absorb heat that results from the power generation process and output the water at a relatively higher temperature than when it was first drawn from the water supply.
water will be output through power plant output lines 20, 22, 24 and 26.
One of the sources of increased efficiency in the present invention is the use of heated supply water which is a byproduct of the power plant.
utilize other heat generating sources that generate heated water as a by product（当審注：「by product」は「byproduct」の誤記と認められる。） of the system; therefore supplying heated water without significantly increasing the cost of the desalination system.
[0031] 
Heated water leaves power plant 500 through power plant output lines 20, 22, 24, 26 and is directed to discharge 14. Diverters 11, 12 located in power plant output lines 24 and 26 direct water through lines 17 and 19, respectively, to a high temperature water pump station 400 and the second variable speed pump 36 contained within.
is output from the high temperature water pump station 400 by variable speed pump 36 through a high temperature feed water line 44.
[0032] In the blending process, the ambient and high temperature water are mixed. 
Ambient temperature feed water, flowing through line 42, and high temperature water feed water, where the high temperature water is water that has a relatively higher temperature than the ambient water, flowing through line 44 merge in blending process 300.
is output through a blended feed water line, line 52.
[0033] In a preferred embodiment of the invention, water goes through an initial pretreatment filtering process. 
After blending, the feed water enters the pretreatment process 200 through line 52 wherein the feed water undergoes an initial filtering process.
is separated into solids, usable water, and undesirable water.
usable, water leaves through a filtered feed water line, line 54.
　・・・（中略）・・・
[0035] A preferred embodiment of the invention employs a two (2) stage, or two (2) pass, reverse osmosis filter process as the desalination method. 
Feed water enters the desalination process 100 though line 54 where it is directed to a first membrane filter, a first feed pump 80, then proceeds into a first membrane filter, first pass filter process 70, through a first purification pump line, line 85.
[0036] 
Saltier water, unusable for purification, leaves first pass filter process 70 through a first membrane unusable line, line 78; and the remaining water leaves first pass filter process 70 through a first membrane output line, line 75, where it is delivered to separator 76. Separator 76 separates some of the water,
delivers that water through a first membrane potentially usable line, line 74, into a second membrane feed pump, second feed pump 84, which is then delivered to a second membrane filter, second pass filter process 90, through a second purification feed pump line, line 87;
（当審仮訳：[0024]図示された実施形態の脱塩システムは，
浄化水の品質を目標レベルに維持するのと同時に，給水温度及び品質の変化に適合するために，膜給水温度を最適な温度点に自動的に調節することによって，脱塩設備の製造コストを低減する。
　・・・（中略）・・・
[0026]このように，
脱塩プロセスの効率を高めるためには，膜における水の温度を所定の温度範囲内に維持することが望ましい。
[0027]図示の実施形態では，
２つの海水供給源が設けられている。周辺の水と称される第１の供給源６００は，海，湾又は他の水源から取水された海水であり，比較的低温である。
高温の水と称される第２の供給源４００は，発電所５００の冷却システムを介して送出された海水である。
[0028]
膜での海水の温度を所望の温度範囲とし，それによって逆浸透プロセスの効率を向上させるために，高温の海水が，周辺温度の海水と必要に応じて混合される。付加的な効率は，発電所又は他の発熱源に近接した脱塩プロセスの位置に起因するので，廃熱は高温の水を加熱するために使用することができる。これは，脱塩プロセスでの海水の補助的な過熱を与える必要を減少又は撤廃させる。
[0029]図に示すように，
水は，海，塩湖，湾，又は他の水源の沖の取水管のような海水供給１８から，第１及び第２の海水入力ライン１３及び１５を介して，
ポンプによって第１の取水プロセス３３と第２の取水プロセス３５へ汲み上げられる。水は，取水プロセス３３，３５から，発電所入力ライン４５，４６，４７及び４８を介して，発電所５００へ送られる。
水は，取水プロセス３５から第１の可変速度ポンプ３２へも送られ，それから周辺給水ライン４２を介して送られる。
[0030]
発電所５００は，通常動作の一部として，発電プロセスに起因する熱を吸収するための水の流れを入力するために，ローカルの水源を使用でき，水源から最初に汲み上げられたときよりも比較的高温の水を出力するだろう。
水は，発電所の出力ライン２０，２２，２４及び２６を介して出力されることになる。本発明における効率の増加の原因の１つは，発電所の副産物である加熱された供給水の使用である。
システムの副産物として加熱された水を生成する他の発熱源を利用することができ，したがって，脱塩システムのコストを著しく増大させることなく，加熱された水を供給する。
[0031]
加熱された水は，発電所の出力ライン２０，２２，２４，２６を通って発電所５００を離れ，排出部１４へ向かう。発電所の出力ライン２４及び２６に配置された分流器１１，１２は，それぞれ，ライン１７及び１９を介して，水を高温水ポンプステーション４００とこれに含まれる第２の可変速度ポンプ３６に向ける。
高温の給水ライン４４を介して可変速度ポンプ３６によって高温水ポンプステーション４００から出力される。
[0032]混合プロセスでは，周辺温度及び高温の水が混合される。
ライン４２を介して流れる周辺温度の給水と，ライン４４を介して流れ，周辺の水よりも比較的高い温度の水である高温の給水は，混合プロセス３００で混合される。
混合された供給水ラインであるライン52を介して出力される。
[0033]本発明の好ましい実施形態において，水は，初期前処理濾過プロセスを通過する。
混合した後，給水は，ライン５２を介して前処理プロセス２００に入り，ここで給水は初期濾過プロセスを受ける。
固形分，利用可能な水，及び望ましくない水に分離される。
利用可能な水は，濾過された給水ラインであるライン５４を介して出る。
　・・・（中略）・・・
[0035]本発明の好ましい実施形態は，脱塩方法として，２段階の逆浸透膜フィルタプロセスを採用している。
給水は，第１の逆浸透膜フィルタ，第１の給水ポンプ８０へ向けられたライン５４を介して脱塩プロセス１００に入り，それから第１の浄化ポンプラインであるライン８５を介して，第１の逆浸透膜フィルタ（第１段の逆浸透膜フィルタプロセス）７０へ進む。
[0036]
浄化に使用できない塩分濃度の高い水は，第１の膜使用不能ラインであるライン７８を介して第１段の逆浸透膜フィルタプロセス７０から出て，残りの水は，第１の膜出力ラインであるライン７５を介して第１段の逆浸透膜フィルタプロセス７０から出て，セパレータ７６へ送られる。セパレータ７６は，
水の一部を分離し，その水を，第１の膜に潜在的に使用可能なラインであるライン７４を介して，第２の膜給水ポンプである第２の給水ポンプ８４へ送り，それから，その水は，第２の浄化給水ポンプラインであるライン８７を介して第２段の逆浸透膜フィルタ（第２段の逆浸透膜フィルタプロセス）９０へ送られ，
（なお，引用文献１では，「reverse osmosis filter」，「membrane filter」，「filter」，という用語が併用されているが，同じものを意味すると認められるため，当審仮訳では，「逆浸透膜フィルタ」という用語に統一した。）
２　引用発明
　したがって，上記引用文献１には，以下の発明（以下，「引用発明」という。）が記載されていると認められる。
「脱塩のために第１段及び第２段の逆浸透膜フィルタプロセス７０及び９０を使用する脱塩システムであって，
　浄化水の品質を目標レベルに維持するのと同時に，給水温度及び品質の変化に適合するために，膜給水温度を最適な温度点に自動的に調節することによって，脱塩設備の製造コストを低減し，
　脱塩プロセスの効率を高めるためには，膜における水の温度を所定の温度範囲内に維持することが望ましく，
　２つの海水供給源が設けられており，周辺の水と称される第１の供給源６００は，海，湾又は他の水源から取水された海水であり，比較的低温であり，
　高温の水と称される第２の供給源４００は，発電所５００の冷却システムを介して送出された海水であり，
　膜での海水の温度を所望の温度範囲とし，それによって逆浸透プロセスの効率を向上させるために，高温の海水が，周辺温度の海水と必要に応じて混合され，付加的な効率は，発電所又は他の発熱源に近接した脱塩プロセスの位置に起因するので，廃熱は高温の水を加熱するために使用することができ，これは，脱塩プロセスでの海水の補助的な過熱を与える必要を減少又は撤廃させ，
　水は，海，塩湖，湾，又は他の水源の沖の取水管のような海水供給１８から，第１及び第２の海水入力ライン１３及び１５を介して，ポンプによって第１の取水プロセス３３と第２の取水プロセス３５へ汲み上げられ，取水プロセス３３，３５から，発電所入力ライン４５，４６，４７及び４８を介して，発電所５００へ送られ，取水プロセス３５から第１の可変速度ポンプ３２へも送られ，それから周辺給水ライン４２を介して送られ，
　発電所５００は，通常動作の一部として，発電プロセスに起因する熱を吸収するための水の流れを入力するために，ローカルの水源を使用でき，水源から最初に汲み上げられたときよりも比較的高温の水を出力し，水は，発電所の出力ライン２０，２２，２４及び２６を介して出力され，
　効率の増加の原因の１つは，発電所の副産物である加熱された供給水の使用であり，システムの副産物として加熱された水を生成する他の発熱源を利用することもでき，したがって，脱塩システムのコストを著しく増大させることなく，加熱された水を供給し，
　加熱された水は，発電所の出力ライン２０，２２，２４，２６を通って発電所５００を離れ，排出部１４へ向かい，発電所の出力ライン２４及び２６に配置された分流器１１，１２は，それぞれ，ライン１７及び１９を介して，水を高温水ポンプステーション４００とこれに含まれる第２の可変速度ポンプ３６に向け，高温の給水ライン４４を介して可変速度ポンプ３６によって高温水ポンプステーション４００から出力され，
　ライン４２を介して流れる周辺温度の給水と，ライン４４を介して流れ，周辺の水よりも比較的高い温度の水である高温の給水は，混合プロセス３００で混合され，混合された給水ラインであるライン５２を介して出力され，
　混合した後，給水は，ライン５２を介して前処理プロセス２００に入り，ここで給水は初期濾過プロセスを受け，固形分，利用可能な水，及び望ましくない水に分離され，利用可能な水は，濾過された給水ラインであるライン５４を介して出て，
　給水は，第１段の逆浸透膜フィルタ，第１の給水ポンプ８０へ向けられたライン５４を介して脱塩プロセス１００に入り，それから第１の浄化ポンプラインであるライン８５を介して，第１段の逆浸透膜フィルタ（第１段の逆浸透膜フィルタプロセス）７０へ進み，
　浄化に使用できない塩分濃度の高い水は，第１の膜使用不能ラインであるライン７８を介して第１の通過フィルタプロセス７０から出て，残りの水は，第１の膜出力ラインであるライン７５を介して第１の通過フィルタプロセス７０から出て，セパレータ７６へ送られ，セパレータ７６は，水の一部を分離し，その水を，第１段の逆浸透膜フィルタの潜在的に使用可能なラインであるライン７４を介して，第２の膜給水ポンプである第２の給水ポンプ８４へ送り，それから，その水は，第２の浄化給水ポンプラインであるライン８７を介して第２段の逆浸透膜フィルタ（第２段の逆浸透膜フィルタプロセス）９０へ送られる，
　脱塩システム。」
３　周知技術を示す文献
（１）引用文献３の記載
　原査定において周知技術を示す文献として引用された引用文献３の第１ページには，以下の事項が記載されている。
「Google will use cool sea water in the cooling system for its new data center in Hamina, Finland, which is under construction and scheduled to go live early next year.」
（当審仮訳：グーグルは，フィンランドのハナミで建設中で，来年の早い時期に稼動が予定されている，新しい
データセンターの冷却システムに，冷たい海水を使う
　したがって，引用文献３には，「データセンターの冷却システムに，冷たい海水を使う」という技術的事項が記載されていると認められる。
（２）引用文献４の記載
　原査定において周知技術を示す文献として引用された引用文献４の段落[0034]には，以下の事項が記載されている。
「[0034] Another result of running applications 220, 222, 224, and 226 on computing resources 240 is the need to consume large amounts of water 280. 
During the operation of a data center, water 280 is used
as a cooling fluid for heat dissipation.
water 280 is supplied from a water source 285. Water source 285 can include,
any salt-water source (e.g., an ocean)
（当審仮訳：[0034]コンピューティングリソース２４０上でアプリケーション２２０，２２２，２２４，および２２６を実行することの別の結果が，大量の水２８０を消費する必要性である。
データセンターの運用中，水２８０は，熱放散のための冷却液として使用される
水２８０は，水源２８５から供給される。水源２８５には，
任意の塩水の源（例えば，海），
が含まれることが可能である。
　したがって，引用文献４には，「データセンターの運用中，水２８０は，熱放散のための冷却液として使用され，水２８０は，水源２８５から供給され，水源２８５には，任意の塩水の源（例えば，海）が含まれることが可能である」という技術的事項が記載されていると認められる。
（３）当審が新たに引用する文献の記載
　当審が新たに引用する文献である「佐藤　由紀子，Ｇｏｏｇｌｅ，”１００％海水冷却”のグリーンデータセンターを動画で紹介，ＩＴｍｅｄｉａ　ＮＥＷＳ［オンライン］，日本，2011.05.25発行，［検索日　2018.07.30］，インターネット：＜ＵＲＬ：http://www.itmedia.co.jp/news/articles/1105/25/news048.html＞」（以下，「引用文献５」という。）には，以下の事項が記載されている。
「米Ｇｏｏｇｌｅは５月２４日（現地時間），フィンランドのハナミに開設した
データセンターの海水による冷却システム
　このデータセンターは，１９５０年代に建てられた製紙工場の跡地にあり，地下には海への排水に使うトンネルが掘られていた。Ｇｏｏｇｌｅはこのトンネルを利用してバルチック海の
海水を取り込み，取り込んだ海水をデータセンターにはりめぐらせたパイプ内を循環させることでデータセンター全体を冷却する
　
冷却に利用した海水は再び海に戻しており，
　したがって，引用文献５には，「海水を取り込み，取り込んだ海水をデータセンターにはりめぐらせたパイプ内を循環させることでデータセンター全体を冷却し，冷却に利用した海水は再び海に戻す，データセンターの海水による冷却システム」という技術的事項が記載されていると認められる。
第５　対比・判断
１　本願発明について
（１）対比
　本願発明と引用発明とを対比すると次のことがいえる。
ア　引用発明では，「発電所５００」には，「海水供給１８」から「ポンプによって」「汲み上げられ」た「水」が「送られ」，この「汲み上げられ」た「水」が「海水」であることは明らかであるから，「発電所５００には，汲み上げられた海水が送られている」といえる。
　また，引用発明では，「発電所５００」は，「汲み上げられたときよりも比較的高温の水を出力」し，この「高温の水」は「発電プロセスに起因する熱」を吸収するためのものであり，且つ，「高温の水と称される第２の供給源４００は，発電所５００の冷却システムを介して送出された海水であ」ることから，「発電所５００に送られた，汲み上げられた海水が，冷却システムにおいて発電プロセスに起因する熱を吸収し，高温の海水として送出される」といえ，「冷却システム」が「発電所５００に送られた，汲み上げられた海水」を受け入れていることも明らかである。
　したがって，引用発明の「汲み上げられた海水」，「高温の海水」，「冷却システム」は，それぞれ本願発明の「冷水」，「温水」，「水冷サブシステム」に相当し，引用発明の「発電所５００」は，本願発明の「冷水を受け入れて温水を排出するように構成された水冷サブシステムを備えるデータセンタ」と「冷水を受け入れて温水を排出するように構成された水冷サブシステムを備える設備」である点で共通する。
イ　引用発明は，「加熱された水は，発電所の出力ライン２０，２２，２４，２６を通って発電所５００を離れ，排出部１４へ向かい，発電所の出力ライン２４及び２６に配置された分流器１１，１２は，それぞれ，ライン１７及び１９を介して，水を高温水ポンプステーション４００とこれに含まれる第２の可変速度ポンプ３６に向け，高温の給水ライン４４を介して可変速度ポンプ３６によって高温水ポンプステーション４００から出力され，ライン４２を介して流れる周辺温度の給水と，ライン４４を介して流れ，周辺の水よりも比較的高い温度の水である高温の給水は，混合プロセス３００で混合され，混合された給水ラインであるライン５２を介して出力され，混合した後，給水は，ライン５２を介して前処理プロセス２００に入り，ここで給水は初期濾過プロセスを受け，固形分，利用可能な水，及び望ましくない水に分離され，利用可能な水は，濾過された給水ラインであるライン５４を介して出て，給水は，第１段の逆浸透膜フィルタ，第１の給水ポンプ８０へ向けられたライン５４を介して脱塩プロセス１００に入り，それから第１の浄化ポンプラインであるライン８５を介して，第１段の逆浸透膜フィルタ（第１段の逆浸透膜フィルタプロセス）７０へ進み，浄化に使用できない塩分濃度の高い水は，第１の膜使用不能ラインであるライン７８を介して第１段の逆浸透膜フィルタプロセス７０から出て，残りの水は，第１の膜出力ラインであるライン７５を介して第１段の逆浸透膜フィルタプロセス７０から出て，セパレータ７６へ送られ，セパレータ７６は，水の一部を分離し，その水を，第１段の逆浸透膜フィルタの潜在的に使用可能なラインであるライン７４を介して，第２の膜給水ポンプである第２の給水ポンプ８４へ送り，それから，その水は，第２の浄化給水ポンプラインであるライン８７を介して第２段の逆浸透膜フィルタ（第２段の逆浸透膜フィルタプロセス）９０へ送られる」ものである。
　また，「加熱された水」，「高温の給水」が上記アの「高温の海水」であることは明らかである。
　そして，引用発明は，「脱塩のために第１段及び第２段の逆浸透膜フィルタプロセス７０及び９０を使用する」ものである。
　そうすると，引用発明は，「発電所の出力ライン２４及び２６を介して供給される高温の海水（加熱された水）が，ライン４２（周辺給水ライン）を介して供給される汲み上げられた海水と必要に応じて混合された後に，脱塩プロセス１００に入り，第１段の逆浸透膜フィルタ（第１段の逆浸透膜フィルタプロセス）７０及び第２段の逆浸透膜フィルタ（第２段の逆浸透膜フィルタプロセス）９０で脱塩される」ものといえ，この「脱塩プロセス１００」を行う物理的構成（第１段の逆浸透膜フィルタ７０，第２段の逆浸透膜フィルタ９０等）が，本願発明の「水脱塩プラント」に相当し，両者は「該設備からの排出された温水を受け入れかつ前記設備から受け入れられた排出された温水を脱塩するように構成された」点で共通するといえる。
ウ　引用発明では，「付加的な効率は，発電所又は他の発熱源に近接した脱塩プロセスの位置に起因するので，廃熱は高温の水を加熱するために使用することができ，これは，脱塩プロセスでの海水の補助的な過熱を与える必要を減少又は撤廃させ」る。
　ここで，「脱塩プロセス」という用語自体は，処理や工程の一種であって，物理的構成を意味するものではないものの，「発電所又は他の発熱源に近接した脱塩プロセスの位置」とあるように，物理的構成である「発電所又は他の発熱源に近接」して「位置」し得るものと解釈するのが自然であるから，「脱塩プロセス」を行うための物理的構成（第１段の逆浸透膜フィルタ７０，第２段の逆浸透膜フィルタ９０等）を意味するものと解される。
　一方，本願発明の「同一場所に配置され」とは，本願明細書の段落【００２９】の「『同一場所に配置する』，『同一場所に配置された』及び『同一場所に配置』の語は，２つ以上のものを近接して（すなわち特定の距離内に）置くことをいう。」との記載を参酌すると，「近接して配置され」ることを意味すると認められる。
　そうすると，引用発明の「脱塩プロセス」を行うための物理的構成（第１段の逆浸透膜フィルタ７０，第２段の逆浸透膜フィルタ９０等）と，本願発明の「水脱塩プラント」とは，「前記設備と同一場所に配置され」る点で共通するといえる。
エ　引用発明の「脱塩システム」は，本願発明の「システム」に相当する。
　したがって，本願発明と引用発明との間には，以下の一致点及び相違点があるといえる。
【一致点】
「（ａ）冷水を受け入れて温水を排出するように構成された水冷サブシステムを備える設備と，
　（ｂ）該設備と同一場所に配置され，前記設備からの排出された温水を受け入れかつ前記設備から受け入れられた排出された温水を脱塩するように構成された水脱塩プラントと
　を備えることを特徴とするシステム。」
【相違点】
　一致点の「設備」が，本願発明では「データセンター」であるのに対して，引用発明では「発電所」である点。
（２）相違点についての判断
ア　上記相違点について検討する。
　引用発明の「脱塩システム」は，発熱源として主に発電所を利用するものであるが，「システムの副産物として加熱された水を生成する他の発熱源を利用することもでき」るものである。
　一方，上記第４の３の（１）−（３）によれば，「取り込んだ海水を使って冷却を行い，冷却に使用した海水を排出する冷却システムを有するデータセンター」は周知のものであり，該データセンターは，「システムの副産物として加熱された水を生成する発熱源」といえるものである。
　したがって，引用発明において，「システムの副産物として加熱された水を生成する他の発熱源」として，上記周知のデータセンターを利用することは，当業者が容易に想到し得ることである。
イ　そして，本願発明の奏する作用効果は，引用発明に当該周知技術を採用した構成から予測される範囲内のものにすぎず，格別顕著なものということはできない。
ウ　したがって，本願発明は，引用発明及び周知技術に基づいて，当業者が容易に発明をすることができたものであり，特許法第２９条第２項の規定により，特許を受けることができないものである。
第６　むすび
　以上のとおり，本願発明は，特許法第２９条第２項の規定により特許を受けることができないから，他の請求項に係る発明について検討するまでもなく，本願は拒絶されるべきものである。
　よって，結論のとおり審決する。